(57)【要約】【課題】軒樋の上側にカバーが配置される場合において、雨水が軒樋に入らずに外側に飛び出すことを抑制できる雨水抑制部材を提供することである。【解決手段】雨水案内部材２０は、屋根１の軒樋５０の上側に配置されたカバー１１，１２に支持され、屋根１から流れてくる雨水を案内する。雨水案内部材２０は、カバーの上側に係合して支持される本体部２１と、本体部の上面から突出するように設けられ、軒側から棟側に向かって見た場合に山形である凸部３０を有し、カバーにおいて、軒樋を形成する第１樋要素５１及び第２樋要素５２を接続する軒樋継手５６と軒樋の長手方向について同じ位置に取り付けられる。雨水案内部材２０は、屋根から凸部３０の棟側に流れ込んだ雨水を、軒樋の長手方向について、凸部の軒端の最上端から離れた位置から軒樋５０内に落ちるように案内する。【選択図】図１
2019190184.tif 000002
【特許請求の範囲】
【請求項１】
屋根の軒樋の上側に配置されたカバーに支持され、前記屋根から流れてくる雨水を案内する雨水案内部材であって、
前記カバーの上側に係合して支持される本体部と、
前記本体部の上面から突出するように設けられ、軒側から棟側に向かって見た場合に山形である凸部を有し、
前記カバーにおいて、前記軒樋を形成する第１樋要素及び第２樋要素を接続する軒樋継手と前記軒樋の長手方向について同じ位置に取り付けられ、
前記屋根から前記凸部の棟側に流れ込んだ雨水を、前記軒樋の長手方向について、前記凸部の軒端の最上端から離れた位置から前記軒樋内に落ちるように案内する、
雨水案内部材。
【請求項２】
請求項１に記載の雨水案内部材において、
前記軒樋の長手方向一方側から見た場合に、前記凸部の上面における前記カバーの長手方向の中央位置と前記本体部の上面との距離は、軒側端で棟側端より大きくなっている、
雨水案内部材。
【請求項３】
請求項１または請求項２に記載の雨水案内部材において、
前記本体部は、前記カバーに対し長手方向にスライド可能に係合される、
雨水案内部材。
【請求項４】
屋根の軒樋の上側に配置されたカバーと、
前記カバーの上側に係合された雨水案内部材と、を備え、
前記雨水案内部材が、請求項１から請求項３のいずれか１項に記載の雨水案内部材である、
軒樋カバー構造。
【発明の詳細な説明】
【技術分野】
【０００１】
本開示は、屋根の軒樋の上側に配置されたカバーに支持する雨水案内部材及び軒樋カバー構造に関し、特に雨水が軒樋に入らずに外側に飛び出すことの抑制に関する。
【背景技術】
【０００２】
従来、一般的に、屋根の軒先の下側には軒先構造体として鼻隠し板が設けられ、鼻隠し板には軒樋が取り付けられる。特許文献１には、軒樋に屋根との一体感を出すための化粧カバーを取り付けることが記載されている。
【先行技術文献】
【特許文献】
【０００３】
【特許文献１】特開２０１４−９５２３９号公報
【発明の概要】
【発明が解決しようとする課題】
【０００４】
ところで、軒樋に、雪や落ち葉を入りにくくするために、軒樋の上側にカバーを配置する場合がある。一方、軒樋は長いため、複数の軒樋要素により構成し、隣り合う軒樋要素を軒樋継手で接続している。軒樋継手は、軒樋要素の上側で軒樋の上端開口に突き出るように配置される場合がある。この場合に軒樋の長手方向について、軒樋継手とカバーとが一致する位置では、屋根からカバーに流れ込んだ雨水が軒樋継手で邪魔されて軒樋に入らずに外側に飛び出しやすくなる。
【０００５】
本開示の目的は、軒樋の上側にカバーが配置される場合において、雨水が軒樋に入らずに外側に飛び出すことを抑制できる雨水案内部材及び軒樋カバー構造を提供することである。
【課題を解決するための手段】
【０００６】
本開示の一態様の雨水案内部材は、屋根の軒樋の上側に配置されたカバーに支持され、屋根から流れてくる雨水を案内する雨水案内部材であって、カバーの上側に係合して支持される本体部と、本体部の上面から突出するように設けられ、軒側から棟側に向かって見た場合に山形である凸部を有し、カバーにおいて、軒樋を形成する第１樋要素及び第２樋要素を接続する軒樋継手と軒樋の長手方向について同じ位置に取り付けられ、屋根から凸部の棟側に流れ込んだ雨水を、軒樋の長手方向について、凸部の軒端の最上端から離れた位置から軒樋内に落ちるように案内する、雨水案内部材である。
【０００７】
本開示の一態様の軒樋カバー構造は、屋根の軒樋の上側に配置されたカバーと、カバーの上側に係合された雨水案内部材と、を備え、雨水案内部材が、本開示の一態様の雨水案内部材である、軒樋カバー構造である。
【発明の効果】
【０００８】
本開示の一態様の雨水案内部材及び軒樋カバー構造によれば、軒樋の上側にカバーが配置される場合において、雨水が軒樋に入らずに外側に飛び出すことを抑制できる。
【図面の簡単な説明】
【０００９】
【図１】実施形態の一例の軒樋カバー構造を含む軒先構造の斜視図である。
【図２】図１のＡ−Ａ断面図である。
【図３】図１のＢ−Ｂ断面図である。
【図４】実施形態の一例の雨水案内部材の斜視図である。
【図５】図４の雨水案内部材の本体部の上面に対し直交する方向の上側から見た図である。
【図６】図４の雨水案内部材を軒側から棟側に見た図である。
【図７】図４の雨水案内部材を軒樋の長手方向一方側から見た図である。
【図８】図５のＣ−Ｃ断面図である。
【図９】比較例の軒樋カバー構造を含む軒先構造において、図３に対応する図である。
【図１０】実施形態の別例の雨水案内部材の斜視図である。
【図１１】図１０の雨水案内部材を軒樋の長手方向一方側から見た図である。
【発明を実施するための形態】
【００１０】
以下、図面を参照しながら、本開示に係る雨水案内部材及び軒樋カバー構造の実施形態を説明する。以下で説明する形状、個数、材料等は、説明のための例示であって、雨水案内部材を含む軒樋カバー構造の仕様により適宜変更することができる。以下では全ての図面において同等の要素には同一の符号を付して説明する。また、本文中の説明においては、必要に応じてそれ以前に述べた符号を用いる。
【００１１】
図１は実施形態の一例の軒樋カバー構造１０を含む軒先構造５の斜視図である。図２は、図１のＡ−Ａ断面図であり、図３は、図１のＢ−Ｂ断面図である。図１〜図３に示すように、軒先構造５は、軒樋５０と、軒樋カバー構造１０とを含んで構成される。
【００１２】
軒樋５０は、屋根１から落ちてくる雨水を受けるための長尺状の部材である。軒樋５０は、屋根１の下側で建物の外端部に配置された横板である鼻隠し板４に、屋根１の軒端に沿って取り付けられる。軒樋５０には、図示しない集水器、呼び樋等を介して建物に隣接して上下方向に配置された竪樋（図示せず）が接続される。軒樋５０が受けた雨水は、竪樋を介して建物の下側に流される。図１では、軒樋５０の長手方向両端が開口しているように示しているが、軒樋５０の長手方向両端は実際には塞がれる。
【００１３】
屋根１の下地は、垂木等の建築躯体上に野地板２を設けることで形成されている。野地板２は、棟側から軒側に向かって一様な角度で下り傾斜している。野地板２の軒側端部は、外壁（図示せず）よりも外側に張り出し、当該張出部が屋根１の軒を形成する。屋根１は、野地板２と、野地板２の上側に配置された屋根材３とにより構成される。屋根材３は、例えばガルバニウム鋼板ユニット、または複数の瓦である。
【００１４】
軒樋５０は、屋根１の下側に配置された鼻隠し板４に、長手方向（図１の左右方向）の複数位置に配置された複数の軒樋支持具６０（図２）及びネジ（図示せず）で固定されている。例えば、複数の軒樋支持具６０は、軒樋５０の長手方向について後述の軒樋継手５６とは異なる位置で、鼻隠し板４にネジで固定される。図１では、軒樋支持具６０の図示を省略している。
【００１５】
軒樋５０は、長手方向に分かれた第１樋要素５１と第２樋要素５２とが、軒樋継手５６により長手方向に接続されて形成される。
【００１６】
図２に示すように、複数の軒樋支持具６０の、軒側端部である前端部と棟側端部である後端部とには、第１樋要素５１及び第２樋要素５２が係合されて固定される。軒樋支持具６０の前後方向（図２の左右方向）中間部には、上側に突出した本体板部６１が形成される。本体板部６１の上下方向中間部には、本体板部６１から前側（図２の左側）に分岐されてその前端部で上側に突出する前側板部６２が形成される。本体板部６１の上端部には屋根１の傾斜方向に略一致して後側に延びる後側係止部６１ａが形成される。前側板部６２の上端部には屋根１の傾斜方向に略一致して前側に伸びる前側係止部６２ａが形成される。前側係止部６２ａと後側係止部６１ａとには、後述のカバー１１，１２の内側部分が係止される。鼻隠し板４の外面には、雨水等による劣化を防ぐための板金が取り付けられてもよい。
【００１７】
軒樋５０の第１樋要素５１及び第２樋要素５２のそれぞれは、軒側及び棟側の２つの壁部と、２つの壁部の下端を連結する底板とを含み、断面Ｕ字形で長尺状に形成され、上端が開口している。軒樋継手５６は、第１樋要素５１及び第２樋要素５２の互いに向き合う側の第１端部を接続する。
【００１８】
具体的には、軒樋継手５６は、外継手５７及び内継手５８を含んでいる。外継手５７は、軒側及び棟側の２つの外継手壁部と、２つの外継手壁部の下端を連結する外継手底板とが一体に構成される。外継手５７は、第１樋要素５１及び第２樋要素５２のそれぞれの第１端部の外側を覆う。図３に示すように、外継手５７の軒側端部である前端部分（図３の左端部分）の上端部には、断面が後側（図３の左側）に開口する略Ｕ字形で長手方向（図３の紙面の表裏方向）に延びる前側突き出し部５７ａが形成される。前側突き出し部５７ａの上端部の後端部には、下側に突出する係止突部５７ｂが形成される。係止突部５７ｂは、後述の内継手５８の前端部の上端部に係止される。
【００１９】
外継手５７の棟側端部である後端部分（図３の右端部分）の上端部には、断面Ｌ字形の係止板部５７ｃが形成される。係止板部５７ｃの下面には、後述の内継手５８の後端部の上端が突き当てられる。
【００２０】
内継手５８は、内継手本体５８ａ及び押さえ板部５８ｂを含んでいる。内継手本体５８ａは、軒側及び棟側の２つの内継手壁部と、２つの内継手壁部の下端を連結する内継手底板とが一体に構成される。内継手本体５８ａは、第１樋要素５１及び第２樋要素５２のそれぞれの第１端部の内側を覆う。図３に示すように、内継手本体５８ａの前端部分（図３の左端部分）の上端部には、上側に向かって後側に傾斜した傾斜板部５８ｃと、傾斜板部５８ｃの根元から上側に突出する突板部５８ｄとを有する。上記の外継手５７の係止突部５７ｂは、この突板部５８ｄと傾斜板部５８ｃとで形成されるＶ字形の溝部５８ｅに係止される。
【００２１】
押さえ板部５８ｂは、内継手本体５８ａの内面の上下方向中間部に、前後方向（図３の左右方向）に延びるように配置され、内継手本体５８ａと一体成形される。
【００２２】
上記の第１樋要素５１及び第２樋要素５２のそれぞれの第１端部が、外継手５７と内継手５８とで挟まれた状態で、上記の外継手５７の係止突部５７ｂが内継手５８の溝部５８ｅに係止される。これとともに、外継手５７の後端部の上端部に形成された係止板部５７ｃの下面に、内継手５８の後端部の上下方向に延びる板部の上端が突き当てられる。これにより、第１樋要素５１、第２樋要素５２、及び軒樋継手５６が一体化されることで、軒樋５０が形成される。第１樋要素５１、第２樋要素５２、及び軒樋継手５６の各構成要素は、例えば樹脂により形成される。
【００２３】
このような軒樋５０では、上記のように、軒樋継手５６において内継手５８の前端部の上端部に傾斜板部５８ｃが形成されるので、この傾斜板部５８ｃにより、軒樋５０の上端開口の前側が覆われやすくなる。これにより、軒樋５０の上側に雪等の進入を防止するためのカバーを配置した場合には、カバーの上側から軒樋継手５６に向かって雨水が流れ落ちた場合に、雨水が軒樋継手５６で邪魔されて軒樋５０に入らずに外側に飛び出しやすくなる。本実施形態の雨水案内部材２０及び軒樋カバー構造１０は、軒樋５０の上側に後述のカバー１１，１２が配置される場合において、雨水が軒樋５０に入らずに外側に飛び出すことを抑制することを目的とする。
【００２４】
軒樋カバー構造１０は、軒樋５０の上側に配置された２つのカバー１１，１２と、各カバー１１，１２の端部の上側に係合された雨水案内部材２０とを含んで構成される。
【００２５】
各カバー１１，１２は、長尺の帯板状であり、軒樋５０の上側に、屋根１の傾斜方向と略一致する方向に、上下方向に対し傾斜するように配置される。上記の図２に示したように、各カバー１１，１２は、軒樋支持具６０に形成された前側係止部６２ａと後側係止部６１ａとに係止される。これにより、各カバー１１，１２は、軒樋支持具６０を介して鼻隠し板４に固定される。各カバー１１，１２は、軒樋５０の上端開口の前端部（図１の下端部、図２の左端部）を除く部分を覆って、軒樋５０に雪や落ち葉を入りにくくする。各カバー１１，１２は、例えば樹脂により形成される。本実施形態では、２つのカバー１１，１２は、軒樋５０の長手方向（図１の左右方向）に分かれて配置され、２つのカバー１１，１２の互いに向き合う側の第１端部が、後述の雨水案内部材２０により接続される。これにより、雨水案内部材２０は、２つのカバー１１，１２を接続するカバー継手としての機能を有する。さらに、雨水案内部材２０は、屋根１から流れてくる雨水を案内する機能も有する。
【００２６】
図４は、実施形態の一例の雨水案内部材２０の斜視図である。図５は、図４の雨水案内部材２０の本体部２１の上面に対し直交する方向の上側から見た図である。図６は、図４の雨水案内部材２０を軒側から棟側に見た図である。図７は、図４の雨水案内部材２０を軒樋５０の長手方向一方側から見た図である。図８は、図５のＣ−Ｃ断面図である。
【００２７】
図４〜図８に示すように、雨水案内部材２０は、本体部２１と、凸部３０とを有する。本体部２１は、下面が各カバー１１，１２の上面と一致する平板状の板部２２と、板部２２の棟側、軒側のそれぞれの端部にＵ字形またはＣ字形に内側に曲がるように形成された２つの曲面部２３，２４とを含んでおり、全体が断面略Ｃ字形に形成される。軒側の曲面部２４の下端部には、各カバー１１，１２とは逆方向に先端が向くように曲がった下側延出部２５が形成される。図３に示すように、雨水案内部材２０が２つのカバー１１，１２の端部に固定された状態で、雨水案内部材２０の下側延出部２５の下端は、内継手２８の上端部の傾斜板部５８ｃに近接する。
【００２８】
雨水案内部材２０の本体部２１において、軒樋５０の長手方向における第１端部（図１の右端部）は、第１端部側のカバー１１の端部上側に配置される。本体部２１の棟側及び軒側の曲面部２３，２４の第１端部は、第１端部側のカバー１１の端部に係合することで、このカバー１１に支持される。
【００２９】
雨水案内部材２０の本体部２１において、軒樋５０の長手方向における第２端部（図１の左端部）は、第２端部側のカバー１２の端部上側に配置される。本体部２１の棟側及び軒側の曲面部２３，２４の第２端部は、第２端部側のカバー１２の端部に係合することで、このカバー１２に支持される。
【００３０】
凸部３０は、本体部２１の板部２２の上面から突出するように本体部２１と一体に設けられる。図６に示すように、凸部３０は、軒側から棟側に向かって見た場合に、横方向（図６の左右方向）中央に関して線対称な略三角形の山形である。また、図７に示すように、凸部３０は、軒樋５０の長手方向一方側から見た場合に、棟側から軒側に向かって上面が上側に傾斜した略三角形に形成される。さらに、図５に示すように、凸部３０は、本体部２１の上面に対し直交する方向の上側から見た場合に、棟軒方向に沿う稜線３１を中心に、軒側に向かって２つの辺Ｃ１，Ｃ２の間隔が広がる略三角形に形成される。これにより、図７に示すように、雨水案内部材２０は、軒樋５０の長手方向一方側から見た場合に、凸部３０の上面における軒樋５０の長手方向の中央位置である稜線３１の位置と、本体部２１の上面との距離は、軒側端（図７の右端）で棟側端（図７の左端）より大きくなっている。
【００３１】
上記の雨水案内部材２０は、例えば樹脂の射出成形により一体形成される。なお、雨水案内部材２０は、このような構成に限定せず、本体部２１の上面に、凸部を形成する部分が接着等により一体に結合される事により構成されてもよい。
【００３２】
さらに、雨水案内部材２０は、各カバー１１，１２に対し、軒樋５０を形成する軒樋継手５６と軒樋５０の長手方向について同じ位置に取り付けられる。雨水案内部材２０は、屋根１から凸部３０の棟側に流れ込んだ雨水を、凸部３０によって、軒樋５０の長手方向について、凸部３０の軒端の最上端（稜線３１の位置）から離れた位置から軒樋５０内に落ちるように案内する。具体的には、凸部３０は、凸部３０の軒側端にある山形の２つの上辺に対応して、２つの平面状の傾斜面部３２，３３が、本体部２１の上面に対し傾斜して形成される。これにより、図４に矢印Ａ１、Ａ２で示すように、棟側から流れた雨水が、凸部３０を避けるように、または凸部３０の各傾斜面部３２，３３に沿って軒樋の長手方向に流れるように、雨水案内部材２０上を流れやすくなる。このため、雨水が、雨水案内部材２０における凸部３０の上端位置の稜線３１とは軒樋の長手方向に大きく離れた位置から軒側に流れて、軒樋５０内に落ちやすくなる。
【００３３】
上記の雨水案内部材２０及び軒樋カバー構造１０によれば、図１に示すように、屋根１上から雨水が、軒樋継手５６に対応する位置にある雨水案内部材２０の上側に、実線矢印αで示す方向に流れ落ちる場合がある。この場合に、この雨水は、図１の破線矢印β１〜β４のように、雨水案内部材２０の凸部３０によって、雨水案内部材２０における凸部３０の稜線３１とは軒樋５０の長手方向（図１の左右方向）に大きく離れた位置から軒側に流れやすくなる。これにより、この雨水が、図１に破線矢印β１、β２に示すように、軒樋継手５６とは軒樋５０の長手方向に離れた位置で、軒樋５０の内側に流れ落ちやすくなる。このため、軒樋５０の上側にカバー１１，１２が配置される場合において、雨水が軒樋５０に入らずに外側に飛び出すことを抑制できる。
【００３４】
また、雨水の外側への飛出しを抑制するために、カバー１１，１２から過度に大きく上側に突出する部材を配置する必要がないので、軒樋カバー構造１０における外観上の違和感が生じにくくなる。
【００３５】
また、上記の雨水案内部材２０によれば、軒樋５０の長手方向一方側から見た場合に、凸部３０の上面における稜線３１の位置と本体部２１の上面との距離は、軒側端で棟側端より大きくなっている。これにより、凸部３０の傾斜面部３２，３３上に棟側から流れた雨水を、図１に破線矢印β３、β４に示すように、傾斜面部３２，３３に沿って稜線３１から離れるように流して、稜線３１から大きく離れた位置で軒側の軒樋５０内に落としやすくなる。これにより、雨水の外側への飛出しを、より抑制できる。
【００３６】
図９は、比較例の軒樋カバー構造を含む軒先構造において、図３に対応する図である。比較例の構成では、図３に示した実施形態における雨水案内部材２０と同じ位置にカバー継手７０が配置される。カバー継手７０は、軒樋５０の長手方向に分かれた２つのカバー１１，１２（図１参照）の端部を接続する部材である。カバー継手７０は、下面がカバー１１，１２の上面に一致する平板状の板部７１と、板部７１の棟側、軒側の端部にそれぞれＵ字形またはＣ字形に内側に曲がるように形成された曲面部７２，７３とを含んで、全体が断面略Ｃ字形に形成される。軒側の曲面部７３の下端部には、各カバー１１，１２とは逆方向に先端が向くように曲がった下側延出部７４が形成される。
【００３７】
また、カバー継手７０の板部７１の上側には、図３に示した雨水案内部材２０と異なり凸部が形成されておらず、板部７１が平面状に形成される。カバー継手７０において、その他の構成は、雨水案内部材２０と同様である。
【００３８】
上記のカバー継手７０が２つのカバー１１，１２の端部に固定された状態で、カバー継手７０の軒側端に形成された下側延出部７４の下端は、内継手５８の前端部の上端部に近接する。これにより、図９の破線矢印γで示すように、屋根上からカバー継手７０に流れ落ちた雨水は、板部７１に沿って流れた後、内継手５８で邪魔されて軒樋５０に入らずに、外継手５７の前端部の上端部から外側（図９の左側）に飛び出しやすくなってしまう。上記の図１〜図８の実施形態によれば、このような不都合を防止できる。
【００３９】
図１０は、実施形態の別例の雨水案内部材２０ａの斜視図である。図１１は、図１０の雨水案内部材２０ａを軒樋の長手方向一方側から見た図である。
【００４０】
本例の雨水案内部材２０ａは、軒樋の長手方向における長さが、図４〜図８に示した雨水案内部材２０より大きくなっている。また、雨水案内部材２０ａの軒側端において、軒樋の長手方向両端部のみに、曲面部２４ａと下側延出部２５ａとが形成されており、軒側端における軒樋の長手方向の中間部には、溝部２６が形成される。また、雨水案内部材２０ａの棟側端において、軒樋の長手方向両端部のみに曲面部２３ａが形成され、棟側端における軒樋の長手方向の中間部には溝部（図示せず）が形成されている。カバー１１，１２（図１参照）の長手方向端部は、雨水案内部材２０ａの軒側及び棟側の曲面部２４ａ、２３ａに係合する。
【００４１】
さらに、雨水案内部材２０ａの本体部２１ａの板部２２ａには、板部２２ａの上面から突出する凸部３０ａが、本体部２１ａと一体に設けられる。凸部３０ａは、軒側から棟側に向かって見た場合に略三角形の山形である。また、図１１に示すように、凸部３０ａは、軒樋の長手方向一方側から見た場合に、棟側から軒側に向かって上面が下側に傾斜した略台形（または略三角形）に形成される。さらに、凸部３０ａは、本体部２１ａの上面に対し直交する方向の上側から見た場合に、棟軒方向に沿う稜線３１ａを中心に、軒側に向かって２つの辺Ｃ１，Ｃ２の間隔が広がる略三角形に形成される。これにより、雨水案内部材２０ａは、図４〜図８に示した雨水案内部材２０と異なり、図１１に示すように軒樋の長手方向一方側から見た場合に、凸部３０ａの上面における稜線３１ａの位置と、本体部２１ａの上面との距離が、軒側端で棟側端より小さくなっている。
【００４２】
上記の雨水案内部材２０ａ及び雨水案内部材２０ａを用いる軒樋カバー構造によっても、図１〜図８の構成と同様に、軒樋の上側にカバーが配置される場合において、雨水が軒樋に入らずに外側に飛び出すことを抑制できる。本例において、その他の構成及び作用は、図１〜図８の構成と同様である。
【００４３】
なお、上記の各実施形態では、２つのカバーの端部に雨水案内部材２０,２０ａを接続する場合を説明したが、本開示の構成はこれに限定しない。例えば、上記の各実施形態において、雨水案内部材２０,２０ａが、１つの長尺なカバーに対し長手方向にスライド可能に係合して支持されてもよい。この構成によれば、屋根の軒樋の上側にカバーを設置した後、またはカバーの設置と同時に雨水案内部材２０,２０ａを配置する作業を行うときに、作業者が雨水案内部材２０,２０ａをスライドさせて、軒樋継手と対応する位置に配置する作業を容易に行える。
【００４４】
また、軒樋及び軒樋継手のそれぞれの形状及び構成は、図１〜図３に示した構成に限定せず、種々の構成を適用できる。例えば、上記の各実施形態において、軒樋継手は、軒樋要素の端部を外継手と内継手で挟む構成に限定しない。例えば、軒樋継手は、軒樋要素の端部の内側のみに配置されて係合支持する内継手のみにより、または軒樋要素の端部の外側のみに配置されて係合支持する外継手のみにより構成してもよい。
【符号の説明】
【００４５】
１  屋根、２  野地板、３  屋根材、５  軒先構造、１０  軒樋カバー構造、１１，１２  カバー、２０，２０ａ  雨水案内部材、２１，２１ａ  本体部、２２，２２ａ  板部、２３，２３ａ，２４，２４ａ  曲面部、２５，２５ａ  下側延出部、２６  溝部、３０，３０ａ  凸部、３１，３１ａ  稜線、３２，３３  傾斜面部、５０  軒樋、５１  第１樋要素、５２  第２樋要素、５６  軒樋継手、５７  外継手、５７ａ  前側突き出し部、５７ｂ  係止突部、５７ｃ  係止板部、５８  内継手、５８ａ  内継手本体、５８ｂ  押さえ板部、５８ｃ  傾斜板部、５８ｄ  突板部、５８ｅ  溝部、６０  軒樋支持具、６１  本体板部、６１ａ  後側係止部、６２  前側板部、６２ａ  前側係止部、７０  カバー継手、７１  板部、７２，７３  曲面部、７４  下側延出部。
【図１】
2019190184.tif 000003
【図２】
2019190184.tif 000004
【図３】
2019190184.tif 000005
【図４】
2019190184.tif 000006
【図５】
2019190184.tif 000007
【図６】
2019190184.tif 000008
【図７】
2019190184.tif 000009
【図８】
2019190184.tif 000010
【図９】
2019190184.tif 000011
【図１０】
2019190184.tif 000012
【図１１】
2019190184.tif 000013